(57)【要約】      （修正有）【課題】赤ちゃんが食卓と椅子が一体型の構造を持つ赤ちゃん専用テーブルに座って食事をする時、食べ物が赤ちゃんの洋服及び食卓を直接的に汚すことを防止するよだれかけ一体型テーブルカバーを提供する。【解決手段】食卓１０と椅子２０が一体型構造を持つ赤ちゃん専用テーブル３０をカバーするよだれかけ一体型テーブルカバー１００は、よだれかけ部２００、カバー部３００及び固定部を含む。よだれかけ部は椅子に着席した赤ちゃん４０の首にはめて、赤ちゃんの胸部位から食卓の食べ物が入った食器が置かれた天板５０に延長される。カバー部はよだれかけ部と一体型の構造で延長され天板を全体的に覆ってカバーするために横方向に開口する入口を通して、天板が全体的に挿入されるポケットを持つ。固定部は入口に設置され、カバー部が天板から分離されることを防止するために入口を弾性力を通じて固定する。【選択図】図１
0003233797.tif 000002
【実用新案登録請求の範囲】
【請求項１】
食卓と椅子が一体型の構造を持つ赤ちゃん専用テーブルをカバーするテーブルカバーにあって、上記椅子に着席した赤ちゃんの首に巻いて上記赤ちゃんの胸部位から上記食卓の食べ物が入った食器が置かれた天板に延長されたよだれかけ部；上記よだれかけ部と一致型構造に延長され、上記天板を全体的に覆ってカバーするために横方向を持つ入口を通して上記天板が全体的に挿入されるポケットを持つカバー部；及び上記入口に設置され、上記天板を全体的にカバーしたカバー部が上記天板から分離されることを防止するために、上記入口の弾性力を通して固定する固定部を含むことを特徴とするよだれかけ一体型テーブルカバー。
【請求項２】
前記入口は上記天板の下部面に対応し、形成されることを特徴とする請求項１記載のよだれかけ一体型テーブルカバー。
【請求項３】
前記固定部は上記横方向の入口に弾性力を提供するために紐形態を持つ弾性部；及び上記弾性部の中央部位に設置され、上記カバー部が上記天板をカバーする場合またはカバーされた場合、上記紐形態を持つ弾性部の長さを伸ばしたり、縮めたりして固定する長さ調節部を含むことを特徴とする請求項１記載のよだれかけ一体型テーブルカバー。
【請求項４】
前記よだれかけ部は上記赤ちゃんの首に水平方向に近づくよう切開された切開部；及び上記切開部に装着され、上記切開部を通した上記赤ちゃんの首にはめた状態で上記切開部を互いに締結する締結部を含むことを特徴とする請求項１記載のよだれかけ一体型テーブルカバー。
【請求項５】
前記よだれかけ部に設置され、上記赤ちゃんが着席した椅子の後面に長さ調整が可能な構造に固定される第２固定部をさらに含むことを特徴とする請求項１記載のよだれかけ一体型テーブルカバー。
【考案の詳細な説明】
【技術分野】
【０００１】  本考案はテーブルカバーに関するもので、さらに詳細には赤ちゃんが赤ちゃん専用のテーブルで食べ物の直接的な汚れなく、安全にきれいに食事することができるよう全体を保護することができるよだれかけ一体型テーブルカバーに関するものである。
【背景技術】
【０００２】    一般的に、赤ちゃんは新生児期を過ぎ、離乳食を食べ始める時、身体的サイズが成人より顕著に小さいことから一般の食卓には合わず、赤ちゃん専用のテーブルを使って食事をするようになる。
この場合、上記赤ちゃんは食事をする過程でスプーンや箸の使用になれていなかったり、保護者が食べさせる状況での頻繁な動きによって食べ物をよくこぼしてしまう。これにより、ほとんどの上記赤ちゃんは専用のよだれかけを着用し、食事をしている。【０００３】    これについては日本公開特許  第２００６−２１４０７０号（発明の名称：器型よだれかけ）、日本公開特許第２０１１−３６１０４５号（発明の名称：お座り用ベルト付きよだれかけ）に一部類似した技術が掲示されている。
このようなよだれかけは上記赤ちゃんの首に着用し、胸部位に限定して食べ物の汚れを防止してくれることにより、実際上記赤ちゃん専用テーブルを使用すると、上記赤ちゃんの予測できない動きにより上記赤ちゃんの体全体及び上記赤ちゃんの専用テーブルに流れ落ちる食べ物を防ぐことができない。
これにより、結局上記赤ちゃんの保護者は上記赤ちゃんが食事をするたびに上記赤ちゃんの洋服の洗濯や上記赤ちゃんの専用テーブルの掃除を毎回行わなければならない困った問題点がある。
【先行技術文献】
【特許文献】
【０００４】
【特許文献１】日本公開特許  第２００６−２１４０７０号（発明の名称：器型よだれかけ）
【特許文献２】日本公開特許第２０１１−３６１０４５号（発明の名称：お座り用ベルト付きよだれかけ）
【考案の概要】
【考案が解決しようとする課題】
【０００５】  本考案の目的は赤ちゃんが食卓と椅子が一体型の構造を持つ赤ちゃん専用テーブルに座って食事をする時、食べ物が上記赤ちゃんの洋服及び上記食卓を直接的に汚すことを防止しながら、上記赤ちゃんの動きに対しても上記赤ちゃんの専用テーブルから分離されることを根本的に防止することができるよだれかけ一体型テーブルカバーを提供するものである。
【課題を解決するための手段】
【０００６】本考案のある一つの任意の目的を達成するために、ある一つの任意の特徴による食卓と椅子が一体型の構造を持つ赤ちゃんの専用テーブルをカバーするテーブルカバーはよだれかけ部、カバー部及び固定部を含む。
上記よだれかけ部は上記椅子に着席した赤ちゃんの首に巻きながら、上記赤ちゃんの胸部位から上記食卓の食べ物が入っている食器が置かれる天板に延長される。上記カバー部は上記よだれかけ部と一体型の構造で延長され、上記天板を全体的に覆い、カバーするために横方向に入口を通じて上記天板を全体的に挿入するポケットを持つ。【０００７】  上記固定部は上記入口に設置され、上記天板を全体的にカバーするカバー部が上記天板から分離されることを防止するために、上記入口を弾性力を通して固定する。ある一つの任意の実施例による上記入口は上記天板の下部面に対応して形成されることができる。【０００８】  ある一つに任意の実施例による上記固定部は上記横方向の入口に弾性力を提供するために、紐形態を持つ弾性部及び上記弾性部の中央部位に設置され、上記カバー部が上記天板をカバーする場合、またはカバーした場合、上記紐形態を持つ弾性部の長さを伸ばしたり、縮めたりして固定する長さ調節部を含むことができる。【０００９】  ある一つの任意の実施例による上記よだれかけ部は上記赤ちゃんの首に水平方向に近くなるよう切開された切開部及び上記切開部に装着され、上記切開部を通じて上記赤ちゃんの首にはめた状態で上記切開部を互いに締結する締結部を含むことができる。【００１０】  ある一つの任意の実施例によるテーブルカバーは上記よだれかけ部に設置され、上記赤ちゃんが着席した椅子の後面に長さ調節が可能な構造で固定される第２固定部をさらに含むことができる。
【考案の効果】
【００１１】  上記した本考案のテーブルカバーの実施例によると、
食卓と椅子が一体型の構造を持つ赤ちゃん専用テーブルで上記赤ちゃんが上記椅子に着席し食事をする時、上記テーブルカバーが上記椅子に着席した赤ちゃんの首に巻いた状態で上記食卓の食べ物が入っている食器が置かれる天板に延長されたよだれかけ部と上記よだれかけ部と一体型の構造で延長され、ポケットの入口を通じて上記天板を全体的に覆ってカバーするカバー部を通して上記食べ物が上記赤ちゃんの洋服や上記食卓に直接汚れないように防止することで、上記本考案の背景となる技術で言及した内容のように上記赤ちゃんが食事した後、上記赤ちゃんの洋服や上記食卓を毎回洗濯及び掃除しなければならない煩わしさを無くすことができる。【００１２】  また、上記ポケットの入口に上記天板を全体的にカバーしたカバー部が上記天板ら分離されることを防ぐために、上記入口の弾性力を通じて固定する固定部を設置することで、上記赤ちゃんが食事する過程で大きく動く場合にも上記天板が上記ポケットから分離される可能性を根本的に除去することができる。
【図面の簡単な説明】
【００１３】
【図１】図１は本考案のある一つの任意の実施例によるよだれかけ一体型テーブルカバーが装着された構造を表した図面である。
【図２】図２は図１に図示されたテーブルカバーを前面から見た図面である。
【図３】図３は図１に図示されたテーブルカバーを後面から見た図である。
【図４】図４は図１に図示されたテーブルカバーが装着された構造で食卓の天板の下部面を見た図である。
【図５】図５は図１に図示されたテーブルカバーが装着された構造で椅子の後面を見た図面である。
【考案を実施するための形態】
【００１４】  以下、添付した図面を参照し、本考案の実施例によるよだれかけ一体型テーブルカバーに対し、詳細に説明する。本考案の多様な変更を加えることができ、色々な形態をもつことができることを、特定の実施例を図面に例示して、本文に詳細に説明することとする。しかし、これは本考案を特定の掲示形態について限定しようとすることでなく、本考案の思想及び技術範囲に含まれるすべての変更、均等物ないし代替物を含むこととして理解されなければならない。
【００１５】各図面を説明しながら類似した参照符号を類似した構成要素について説明した。添付した図面において、構造物の値は本考案の明確性を期するために実際より拡大し図示したものである。
【００１６】  第１、第２などの用語は多様な構成要素を説明するのに使用されるが、上記構成要素は上記用語によって限定されてはならない。上記用語は一つの構成要素を異なる構成要素から区別する目的でのみ使用される。
例えば、本考案の権利範囲を超えずに第１構成要素は第２構成要素として名づけることができ、同じように第２構成要素も第１構成要素として名づけることができる。本出願において使用された用語はただ特定の実施例を説明するため使用されたもので、本考案を限定する意図はない。単数の表現は文脈上、明確に異なって意味しない限り複数の表現を含む。
【００１７】  一方、異なって定義されていない限り、技術的や科学的な用語を含めてここで使用されるすべての用語は本考案が属する技術分野で通常の知識を持つ者によって一般的に理解されることと同一の意味を持っている。
一般的にしようされる辞典に定義されているもののように用語は関連技術の文脈上持っている意味と一致する意味を持つものとして解釈されなければならず、本出願で明確に定義されない限り、理想的や過度に形式的な意味として解釈されない。
【００１８】  図１は本考案のある一つの任意の実施例によるよだれかけ一体型テーブルカバーが装着された構造を表した図面で、図２は図１に図示されたテーブルカバーを前面から見た図面で、図３は図１に図示されたテーブルカバーを後面から見た図で、図４は図１に図示されたテーブルカバーが装着された構造で食卓天板の下部面を見た図であり、図５は図１に図示されたテーブルカバーが装着された構造で椅子の後面を見た図である。
【００１９】  図１ないし図５を参照すると、本発明のある一つの任意の実施例によるテーブルカバー（１００）は食卓（１０）と椅子（２０）が一体型の構造を持つ赤ちゃん専用テーブル（３０）をカバーする。ここで、上記赤ちゃん専用テーブル（３０）は赤ちゃん（４０）が離乳食を食べ始めながら、まだスプーンや箸の使用ができない時、自分主導で食事をすることができるようにするため使用する。これに上記テーブルカバー（１００）はよだれかけ部（２００）、カバー部（３００）及び固定部（４００）を含む。
【００２０】  上記よだれかけ部（２００）は上記椅子（２０）に着席した上記赤ちゃん（４００）の首に巻いて、上記赤ちゃん（４０）の胸部位から上記食卓（１０）の食べ物が入った食器を置いた天板（５０）に延長される。
上記よだれかけ部（２００）は上記食べ物に対し、汚れた時に流水で簡単に洗えるよう防水性の材質を含むことができる。上記よだれかけ部（２００）は上記赤ちゃん（４０）の首に簡単に着用するため、切開部（２１０）及び締結部（２２０）を含むことができる。
【００２１】  上記切開部（２１０）は上記赤ちゃん（４０）の首に水平方向にはめられるよう、ある一つの部分に切開された構造を持つ。
【００２２】  上記締結部（２２０）は上記切開部（２１０）に装着され、上記切開部（２１０）を通して上記赤ちゃん（４０）の首にはめた状態で上記切開部（２１０）の互いに離れた部位を締結する。この時、上記締結部（２２０）はワンタッチ方式で簡単に締結及び分離が可能なようスナップボタンまたはベルクロ構造を含むことができる。
【００２３】  上記カバー部（３００）は上記よだれかけ部（２００）と一体型構造で上記天板（５０）に延長される。上記カバー部（３００）は横方向の入口（３１２）を持つポケット（３１０）を含む。これに上記カバー部（３００）は上記ポケット（３１０）の入口（３１２）を通して、上記天板（５０）が全体的に挿入され、これを全体的に覆ってカバーすることができる。このようなカバー部（３００）は上記赤ちゃん（４０）が食事する途中、食べ物が上記天板（５０）に直接的に汚れないよう防止することができる。また、上記カバー部（３００）は上記赤ちゃん（４０）と上記天板（５０）の間に落ちた食べ物によって周辺の床が汚れることも防止することができる。これに上記カバー部（３００）は流水で簡単に洗うことができるよう上記よだれかけ部（２００）と実質的に同一の材質を含むことができる。この時、上記ポケット（３１０）の入口（３１２）は上記赤ちゃん（４０）が食事する途中で食べ物がこれを通して上記天板（５０）（が汚れることを防止するために上記天板（５０）の下部面に対応し、形成されることが望ましい。
【００２４】  上記固定部（４００）は上記ポケット（３１０）の入口（３１２）に設置される。上記固定部（４００）は上記天板（５０）を全体的にカバーした上記カバー部（３００）が上記天板（５０）から分離されることを防止するために、上記入口（３１２）を弾性力を通して固定する。  これに上記固定部（４００）は弾性部（４１０）及び長さ調節部（４２０）を含むことができる。
【００２５】  上記弾性部（４１０）は上記横方向の入口（３１２）に弾性力を提供するために紐形態を持つことができる。具体的に、上記弾性部（４１０）は上記入口（３１２）の横方向に沿って返し縫構造で挿入されたゴム紐を含むことができる。この時、上記ゴム紐形態を持つ弾性部（４１０）は中央部位が外部に露出するよう構成することができる。
【００２６】    上記長さ調節部（４２０）は上記弾性部（４１０）の露出された中央部位に配置される。上記長さ調節部（４２０）は上記ゴム紐形態を持つ弾性部（４１０）を引っ張ったり、緩めたりして上記長さ調節部（４２０）の長さを調節しながら、これを固定することができる。具体的に上記長さ調節部（４２０）は上記天板（５０）のサイズによって対応し、上記弾性部（４１０）を強く引っ張り、上記カバー部（３００）を上記天板（５０）にしっかり固定することができ、上記赤ちゃん（５０）が食事を終えた後、上記天板（５０）から分離しようとする場合にはこれを緩めて簡単に分離できるようにすることができる。
【００２７】  一方、上記テーブルカバー（１００）は上記固定部（４００）を通して、上記ポケット（３１０）に上記天板（５０）が挿入、固定された状態でさらに安定的な固定のため、上記よだれかけ部（２００）に設置された第２固定部（５００）をさらに含むことができる。上記第２固定部（５００）は上記赤ちゃん（４０）が着席した椅子（２０）の後面に長さ調節が可能な構造で固定することができる。具体的に、上記第２固定部（５００）はある一方で長さ調節が可能なバックル構造を含むことができる。また、上記赤ちゃん（４０）が上記赤ちゃん専用テーブル（３０）で食事をする時、露出された上記赤ちゃん（４０）の腕部分が食べ物で汚れることを防止するために、上記テーブルカバー（１００）とは別途にこれと同一の材質のアームカバー（６００）が追加で構成されることができる。これに実際上記赤ちゃん（４０）が上記赤ちゃん専用（３０）で食事する過程で、上記テーブルカバー（１００）と上記アームカバー（６００）は一緒に使用されることが望ましい。
【００２８】  上記アームカバー（６００）は上記言及した内容によって、上記テーブルカバー（１００）と分離型として構成されることがあるが、場合によって上記テーブルカバー（１００）と一体型として構成されることもある。また、上記アームカバー（６００）は上記テーブルカバー（１００）で上記カバー部（３００）のポケット（３１０）がない状況でも別途構成することができる。
【００２９】  このように、上記赤ちゃん専用テーブル（３０）で上記赤ちゃん（４０）が上記椅子（２０）に着席し、食事をする時、上記テーブルカバー（１００）が上記椅子（２０）に着席した赤ちゃん（４０）の首に巻かれた状態で上記食卓（１０）の食べ物が入った食器が置かれる天板（５０）に延長されたよだれかけ部（２００）と上記よだれかけ部（２００）と一体型の構造で延長され、ポケット（３１０）の入口（３１２）を通して上記天板（５０）を全体的に覆ってカバーするカバー部（３００）を通じて上記食べ物が上記赤ちゃんの洋服及び上記食卓（１０）と周辺の床を直接汚すことを防止または最少化させることで、上記赤ちゃん（４０）が食事した後、上記赤ちゃん（４０）の洋服、上記食卓（１０）及び周辺の床を毎回洗濯及び掃除しなければならない煩わしさを防止することができる。
【００３０】  また、上記ポケット（３１０）の入口（３１２）に上記天板（５０）を全体的にカバーしたカバー部（３００）が上記天板（５０）から分離されることを防止するために、上記入口（３１２）を弾性力で固定する上記固定部（４００）を設置することで、上記赤ちゃん（４０）が食事する過程で大きく動く場合にも上記天板（５０）が上記ポケット（３１０）から分離されないよう梱包的に防止することができる。
【００３１】  一方、本考案による実施例では上記テーブルカバー（１００）が上記赤ちゃん（４０）と上記食卓（１０）の天板（５０）をカバーする構造として説明したが、これは上記赤ちゃん（４０）の日常生活で絵具遊びのようなひどく汚すような遊びをする場合、エプロンとして活用することもできることを理解することができる。
【００３２】  上記では本考案の望ましい実施例を参照し説明したが、該当技術分野の熟練された当業者は下記の特許請求の範囲に記載された本考案の思想及び領域から外れない範囲で本考案を多様に修正及び変更させることができることを理解することができる。
【符号の説明】
【００３３】１０：食卓                  ２０：椅子
３０：赤ちゃん専用テーブル  ４０：赤ちゃん
５０：天板                  １００：テーブルカバー
２００：よだれかけ部        ２１０：切開部
２２０：締結部              ３００：カバー部
３１０：ポケット            ３１２：入口
４００：固定部              ４１０：弾性部
４２０：長さ調節部          ５００：第２固定部
６００：アームカバー
【図１】
0003233797.tif 000003
【図２】
0003233797.tif 000004
【図３】
0003233797.tif 000005
【図４】
0003233797.tif 000006
【図５】
0003233797.tif 000007
【手続補正書】
【提出日】令和3年4月22日(2021.4.22)
【手続補正１】
【補正対象書類名】実用新案登録請求の範囲
【補正対象項目名】全文
【補正方法】変更
【補正の内容】
【実用新案登録請求の範囲】
【請求項１】
食卓と椅子が一体型の構造を持つ赤ちゃん専用テーブルをカバーするテーブルカバーにあって、上記椅子に着席した赤ちゃんの首に巻いて上記赤ちゃんの胸部位から上記食卓の食べ物が入った食器が置かれた天板に延長されたよだれかけ部；上記よだれかけ部と一体型構造に延長され、上記天板を全体的に覆ってカバーするために横方向に開口する入口を通して上記天板が全体的に挿入されるポケットを持つカバー部；及び上記入口に設置され、上記天板を全体的にカバーしたカバー部が上記天板から分離されることを防止するために、上記入口の弾性力を通して固定する固定部を含むことを特徴とするよだれかけ一体型テーブルカバー。
【請求項２】
前記入口は上記天板の下部面に対応し、形成されることを特徴とする請求項１記載のよだれかけ一体型テーブルカバー
【請求項３】
前記固定部は上記横方向の入口に弾性力を提供するために紐形態を持つ弾性部；及び上記弾性部の中央部位に設置され、上記カバー部が上記天板をカバーする場合またはカバーされた場合、上記紐形態を持つ弾性部の長さを伸ばしたり、縮めたりして固定する長さ調節部を含むことを特徴とする請求項１記載のよだれかけ一体型テーブルカバー。
【請求項４】
前記よだれかけ部は上記赤ちゃんの首に水平方向に近づくよう切開された切開部；及び上記切開部に装着され、上記切開部を通した上記赤ちゃんの首にはめた状態で上記切開部を互いに締結する締結部を含むことを特徴とする請求項１記載のよだれかけ一体型テーブルカバー。
【請求項５】
前記よだれかけ部に設置され、上記赤ちゃんが着席した椅子の後面に長さ調整が可能な構造に固定される第２固定部をさらに含むことを特徴とする請求項１記載のよだれかけ一体型テーブルカバー。